(57)【特許請求の範囲】
【請求項１】
互いに隣接するように配置される第１及び第２住戸を有する集合住宅において、  前記第１住戸の床を構成する第１床スラブと、  前記第２住戸の床を構成する第２床スラブと、  これらの床スラブの間に配置されてなる戸境耐力部材と、 前記第１床スラブ及び前記第２床スラブを囲繞する位置に立設されてなる複数の柱と、  前記第１床スラブの縁部であって前記戸境耐力部材が配置された縁部以外の縁部に立設されてなる第１壁部と、  前記第２床スラブの縁部であって前記戸境耐力部材が配置された縁部以外の縁部に立設されてなる第２壁部と、  前記第１床スラブを支持するように該スラブに沿って配置された第１梁部と、  前記第２床スラブを支持するように該スラブに沿って配置された第２梁部と、を備え、  前記第１梁部は、一端が前記戸境耐力部材に連結され、該戸境耐力部材から離反する方向に延設され、かつ、前記第１壁部及び前記柱には当接しないように配置され、  前記第２梁部は、前記第１梁部の一端と前記戸境耐力部材を挟んで対峙する位置にて一端が前記戸境耐力部材に連結され、該戸境耐力部材から離反する方向に延設され、かつ、前記第２壁部及び前記柱には当接しないように配置され、  前記第１梁部の他端から前記戸境耐力部材までの距離と、前記第２梁部の他端から前記戸境耐力部材までの距離とがほぼ等しくなるように設定された、  ことを特徴とする集合住宅。
【請求項２】
前記第１及び第２梁部は、前記第１床スラブ及び前記第２床スラブを囲繞する位置に立設されてなる柱と柱との間にて該第１床スラブ及び該第２床スラブを支持するように配置された、  ことを特徴とする請求項１に記載の集合住宅。
【請求項３】
前記第１住戸の浴室と前記第２住戸の浴室とは前記戸境耐力部材を挟んで隣接するように配置され、これらの浴室に沿うように前記第１梁部及び前記第２梁部がそれぞれ配置された、
ことを特徴とする請求項１又は２に記載の集合住宅。
【請求項４】
前記第１住戸のキッチンと前記第２住戸のキッチンとは前記戸境耐力部材を挟んで隣接するように配置され、これらのキッチンに沿うように前記第１梁部及び前記第２梁部がそれぞれ配置された、
ことを特徴とする請求項１乃至３のいずれか１項に記載の集合住宅。
【請求項５】
互いに隣接するように配置される第１及び第２住戸を有する集合住宅において、
前記第１住戸の床を構成する第１床スラブと、
前記第２住戸の床を構成する第２床スラブと、
これらの床スラブの間に配置されてなる戸境耐力部材と、
前記第１住戸において前記戸境耐力部材に対向するように配置されて前記第１床スラブの縁部に連結される第１耐力部材と、
を備え、
前記第１床スラブの縁部であって、前記戸境耐力部材及び前記第１耐力部材の少なくともいずれか１つに接する領域には、
該縁部以外の部分であって前記第１床スラブの中央部を含む領域における前記第１床スラブの厚さよりも厚い厚板部が形成されていて、該厚板部が前記戸境耐力部材及び前記第１耐力部材の少なくともいずれか１つに連結される厚板部領域と、
該厚板部よりも板厚が薄い薄板部が形成されていて、該薄板部が前記戸境耐力部材及び前記第１耐力部材の少なくともいずれか１つに連結される薄板部領域と、
が形成された、
ことを特徴とする集合住宅。
【請求項６】
前記第１耐力部材は耐力壁又は大梁である、
ことを特徴とする請求項５に記載の集合住宅。
【請求項７】
前記薄板部領域は、キッチンや浴室の近傍に設けられていて、該キッチンや該浴室のための管路を下階に挿通させるための領域である、
ことを特徴とする請求項５又は６に記載の集合住宅。
【請求項８】
前記第２床スラブの縁部であって前記戸境耐力部材が配置された縁部以外の縁部に立設されてなる第２壁部と、
前記第１床スラブを支持するように該スラブに沿って配置された第１梁部と、
前記第２床スラブを支持するように該スラブに沿って配置された第２梁部と、
を備え、
前記第１梁部は、一端が前記戸境耐力部材に連結され、該戸境耐力部材から離反する方向に延設され、かつ、前記第１耐力部材には当接しないように配置され、
前記第２梁部は、前記第１梁部の一端と前記戸境耐力部材を挟んで対峙する位置にて一端が前記戸境耐力部材に連結され、該戸境耐力部材から離反する方向に延設され、かつ、前記第２壁部には当接しないように配置され、
前記第１梁部の他端から前記戸境耐力部材までの距離と、前記第２梁部の他端から前記戸境耐力部材までの距離とがほぼ等しくなるように設定された、
ことを特徴とする請求項５乃至７のいずれか１項に記載の集合住宅。
【請求項９】
前記薄板部領域は、キッチンや浴室の近傍に設けられていて、該キッチンや該浴室のための管路を下階に挿通させるための領域とされ、
前記厚板部領域は、キッチンや浴室の近傍以外の部分に設けられ、
前記第１及び第２梁部は、キッチンや浴室に沿うように設けられている、
ことを特徴とする請求項８に記載の集合住宅。
【請求項１０】
前記第１梁部は、一端が前記厚板部領域の端部に連結され、該厚板部領域から離反する方向に延設され、かつ、前記第１耐力部材には当接しないように配置された、
ことを特徴とする請求項８又は９に記載の集合住宅。
【発明の詳細な説明】
【技術分野】
【０００１】
本発明は、互いに隣接するように配置される第１及び第２住戸を有する集合住宅に関する。
【背景技術】
【０００２】
従来、互いに隣接するように配置される第１及び第２住戸を有する集合住宅については、種々の構造のものが提案されている（例えば、特許文献１参照）。
【先行技術文献】
【特許文献】
【０００３】
【特許文献１】特開２００５−３１４８８２公報
【発明の概要】
【発明が解決しようとする課題】
【０００４】
ところで、集合住宅において床スラブを薄くすると、
・  各住戸の天井高を高く確保でき、
・  建物全体の重量を軽減でき、
・  建設コストも削減できる、
という効果が得られるが、床スラブの撓みを所定量以下に抑える必要があり、薄くするのには限界があった。
【０００５】
本発明は、上述の問題を解消することのできる集合住宅を提供することを目的とするものである。
【課題を解決するための手段】
【０００６】請求項１に係る発明は、図１(a) (b) に例示するものであって、互いに隣接するように配置される第１及び第２住戸（Ａ１，Ａ２）を有する集合住宅（１）において、前記第１住戸（Ａ１）の床を構成する第１床スラブ（Ｂ１）と、前記第２住戸（Ａ２）の床を構成する第２床スラブ（Ｂ２）と、これらの床スラブ（Ｂ１，Ｂ２）の間に配置されてなる戸境耐力部材（Ｃ）と、 前記第１床スラブ（Ｂ１）及び前記第２床スラブ（Ｂ２）を囲繞する位置に立設されてなる複数の柱と、前記第１床スラブ（Ｂ１）の縁部（Ｂ１ａ）であって前記戸境耐力部材（Ｃ）が配置された縁部以外の縁部（Ｂ１ａ）に立設されてなる第１壁部（Ｄ１）と、前記第２床スラブ（Ｂ２）の縁部（Ｂ２ａ）であって前記戸境耐力部材（Ｃ）が配置された縁部以外の縁部（Ｂ２ａ）に立設されてなる第２壁部（Ｄ２）と、前記第１床スラブ（Ｂ１）を支持するように該スラブに沿って配置された第１梁部（Ｅ１）と、前記第２床スラブ（Ｂ２）を支持するように該スラブに沿って配置された第２梁部（Ｅ２）と、を備え、前記第１梁部（Ｅ１）は、一端（Ｅ１ａ）が前記戸境耐力部材（Ｃ）に連結され、該戸境耐力部材（Ｃ）から離反する方向（＋ｘ）に延設され、かつ、前記第１壁部（Ｄ１）及び前記柱には当接しないように配置され、前記第２梁部（Ｅ２）は、前記第１梁部（Ｅ１）の一端（Ｅ１ａ）と前記戸境耐力部材（Ｃ）を挟んで対峙する位置にて一端（Ｅ２ａ）が前記戸境耐力部材（Ｃ）に連結され、該戸境耐力部材（Ｃ）から離反する方向（−ｘ）に延設され、かつ、前記第２壁部（Ｄ２）及び前記柱には当接しないように配置され、前記第１梁部（Ｅ１）の他端（Ｅ１ｂ）から前記戸境耐力部材（Ｃ）までの距離（ｌ１）と、前記第２梁部（Ｅ２）の他端（Ｅ２ｂ）から前記戸境耐力部材（Ｃ）までの距離（ｌ２）とがほぼ等しくなるように設定されたことを特徴とする。【０００７】請求項２に係る発明は、請求項１に係る発明において、前記第１及び第２梁部（Ｅ１，Ｅ２）は、前記第１床スラブ（Ｂ１）及び前記第２床スラブ（Ｂ２）を囲繞する位置に立設されてなる柱と柱との間にて該第１床スラブ（Ｂ１）及び該第２床スラブ（Ｂ２）を支持するように配置されたことを特徴とする。 【０００８】
請求項３に係る発明は、図２に例示するものであって、請求項１又は２に係る発明において、前記第１住戸（Ａ１）の浴室（Ｆ１）と前記第２住戸（Ａ２）の浴室（Ｆ２）とは前記戸境耐力部材（Ｃ）を挟んで隣接するように配置され、これらの浴室（Ｆ１，Ｆ２）に沿うように前記第１梁部（Ｅ１）及び前記第２梁部（Ｅ２）がそれぞれ配置されたことを特徴とする。
【０００９】
請求項４に係る発明は、図２に例示するものであって、請求項１乃至３のいずれか１項に記載の発明において、前記第１住戸（Ａ１）のキッチン（Ｋ１）と前記第２住戸（Ａ２）のキッチン（Ｋ２）とは前記戸境耐力部材（Ｃ）を挟んで隣接するように配置され、これらのキッチン（Ｋ１，Ｋ２）に沿うように前記第１梁部（Ｅ１）及び前記第２梁部（Ｅ２）がそれぞれ配置されたことを特徴とする。
【００１０】
請求項５に係る発明は、図４に例示するものであって、互いに隣接するように配置される第１及び第２住戸（Ａ１，Ａ２）を有する集合住宅（１０）において、
前記第１住戸（Ａ１）の床を構成する第１床スラブ（Ｂ１）と、
前記第２住戸（Ａ２）の床を構成する第２床スラブ（Ｂ２）と、
これらの床スラブ（Ｂ１，Ｂ２）の間に配置されてなる戸境耐力部材（Ｃ）と、
前記第１住戸（Ａ１  ）において前記戸境耐力部材（Ｃ）に対向するように配置されて前記第１床スラブ（Ｂ１）の縁部（Ｂ１ａ）に連結される第１耐力部材（Ｄ１）と、
を備え、
前記第１床スラブ（Ｂ１）の縁部（Ｂ１ａ，Ｂ１ｂ）であって、前記戸境耐力部材（Ｃ）及び前記第１耐力部材（Ｄ１）の少なくともいずれか１つに接する領域には、
該縁部以外の部分であって前記第１床スラブ（Ｂ１）の中央部を含む領域における前記第１床スラブ（Ｂ１）の厚さよりも厚い厚板部（Ｇ１）が形成されていて、該厚板部（Ｇ１）が前記戸境耐力部材（Ｃ）及び前記第１耐力部材（Ｄ１）の少なくともいずれか１つに連結される厚板部領域（Ｈ１ａ）と、
該厚板部（Ｇ１）よりも板厚が薄い薄板部が形成されていて、該薄板部が前記戸境耐力部材（Ｃ）及び前記第１耐力部材（Ｄ１）の少なくともいずれか１つに連結される薄板部領域（Ｈ１ｂ）と、
が形成されたことを特徴とする。
【００１１】
請求項６に係る発明は、請求項５に記載の発明において、前記第１耐力部材（Ｄ１）は耐力壁又は大梁であることを特徴とする。
【００１２】
請求項７に係る発明は、請求項５又は６に係る発明において、前記薄板部領域（Ｈ１ｂ）は、キッチン（Ｋ１）や浴室（Ｆ１）の近傍に設けられていて、該キッチン（Ｋ１）や該浴室（Ｆ１）のための管路を下階に挿通させるための領域であることを特徴とする。
【００１３】
請求項８に係る発明は、図１(a) (b) 及び図５に例示するものであって、請求項５乃至７のいずれか１項に記載の発明において、前記第２床スラブ（Ｂ２）の縁部（Ｂ２ａ）であって前記戸境耐力部材（Ｃ）が配置された縁部以外の縁部（Ｂ２ａ）に立設されてなる第２壁部（Ｄ２）と、
前記第１床スラブ（Ｂ１）を支持するように該スラブに沿って配置された第１梁部（Ｅ１）と、
前記第２床スラブ（Ｂ２）を支持するように該スラブに沿って配置された第２梁部（Ｅ２）と、
を備え、
前記第１梁部（Ｅ１）は、一端（Ｅ１ａ）が前記戸境耐力部材（Ｃ）に連結され、該戸境耐力部材（Ｃ）から離反する方向（＋ｘ）に延設され、かつ、前記第１壁部（Ｄ１）には当接しないように配置され、
前記第２梁部（Ｅ２）は、前記第１梁部（Ｅ１）の一端（Ｅ１ａ）と前記戸境耐力部材（Ｃ）を挟んで対峙する位置にて一端（Ｅ２ａ）が前記戸境耐力部材（Ｃ）に連結され、該戸境耐力部材（Ｃ）から離反する方向（−ｘ）に延設され、かつ、前記第２壁部（Ｄ２）には当接しないように配置され、
前記第１梁部（Ｅ１）の他端（Ｅ１ｂ）から前記戸境耐力部材（Ｃ）までの距離（ｌ１）と、前記第２梁部（Ｅ２）の他端（Ｅ２ｂ）から前記戸境耐力部材（Ｃ）までの距離（ｌ２）とがほぼ等しくなるように設定されたことを特徴とする。
【００１４】
請求項９に係る発明は、請求項８に係る発明において、前記薄板部領域（Ｈ１ｂ）は、キッチン（Ｋ１）や浴室（Ｆ１）の近傍に設けられていて、該キッチン（Ｋ１）や該浴室（Ｆ１）のための管路を下階に挿通させるための領域とされ、
前記厚板部領域（Ｈ１ａ）は、キッチン（Ｋ１）や浴室（Ｆ１）の近傍以外の部分に設けられ、
前記第１及び第２梁部（Ｅ１，Ｅ２）は、キッチン（Ｋ１，Ｋ２）や浴室（Ｆ１，Ｆ２）に沿うように設けられていることを特徴とする。
【００１５】
請求項１０に係る発明は、図５に例示するものであって、請求項８又は９に係る発明において、前記第１梁部（Ｅ１）は、一端が前記厚板部（Ｇ１）の端部に連結され、該厚板部（Ｇ１）から離反する方向（＋ｘ）に延設され、かつ、前記第１耐力部材（Ｄ１）には当接しないように配置されたことを特徴とする。
【００１６】
なお、括弧内の番号などは、図面における対応する要素を示す便宜的なものであり、従って、本記述は図面上の記載に限定拘束されるものではない。
【発明の効果】
【００１７】
請求項１、２、及び８乃至１０に係る発明によれば、前記第１及び第２床スラブは前記第１及び第２梁部によって支持されるので、各スラブを従来より薄くしても各スラブの撓みを所定量以下に抑えることができる。そして、各スラブを従来より薄くできるので、各住戸の天井高を高く確保でき、建物全体の重量を軽減でき、建設コストも削減できるという効果が得られる。また、本発明によれば、重量がかかる部分（例えば、キッチンや浴室など）を前記第１及び第２梁部の近傍に配置すれば床スラブの撓みへの影響を最小限に抑えることが可能である。そして、前記第１及び第２梁部は、前記戸境耐力部材から所定量の長さ（つまり、前記第１及び第２梁部には当接しないような長さ）だけ設ければ良いので、その分、材料費や建設費を削減することができ、梁部が配置されていない部分（つまり、前記第１梁部の端部と前記第１壁部との間、及び前記第２梁部の端部と前記第２壁部との間）が存在するので、廊下側やバルコニー側への配管も容易になるという効果を奏する。さらに、本発明によれば、前記第１梁部の他端（つまり、前記戸境耐力部材から離間した側の端部）から前記戸境耐力部材までの距離と、前記第２梁部の他端（つまり、前記戸境耐力部材から離間した側の端部）から前記戸境耐力部材までの距離とがほぼ等しくなるように設定されているので、
・  前記第１梁部により前記戸境耐力部材に生じるモーメントと、
・  前記第２梁部により前記戸境耐力部材に生じるモーメントと、
がほぼ等しくなって釣り合い、該戸境耐力部材にねじれが生ずることも無い。
【００１８】
請求項３及び４に係る発明によれば、浴室やキッチンの重量を前記第１及び第２梁部にて支えることができるので、前記第１及び第２床スラブへの重量負担を軽減でき、各床スラブをより一層薄くすることができる。
【００１９】
請求項５乃至１０に係る発明によれば、床スラブを従来より薄くできるので、各住戸の天井高を高く確保でき、建物全体の重量を軽減でき、建設コストも削減できるという効果が得られる。また、前記第１床スラブの縁部には、厚板部領域だけでなく薄板部領域が形成されているので、該薄板部領域を使って配管（上水管や下水管やガス管）を下階に挿通させることができる。
【図面の簡単な説明】
【００２０】
【図１】図１(a) は、本発明に係る集合住宅の構造の一例を示す水平断面図であって、(b) は、その部分断面斜視図である。
【図２】図２は、本発明に係る集合住宅の構造の他の例を示す水平断面図である。
【図３】図３は、本発明に係る集合住宅の構造のさらに他の例を示す水平断面図である。
【図４】図４（a）は、本発明に係る集合住宅の構造の一例を示す水平断面図であって、(b) は、その部分断面斜視図である。
【図５】図５は、本発明に係る集合住宅の構造の他の例を示す水平断面図である。
【発明を実施するための形態】
【００２１】
以下、図１乃至図５に沿って、本発明の実施の形態について説明する。
【００２２】
本発明に係る集合住宅は、図１(a) (b) に符号１で例示するものであって、互いに隣接するように配置される第１及び第２住戸Ａ１，Ａ２を有し、
・  前記第１住戸Ａ１の床を構成する第１床スラブＢ１と、
・  前記第２住戸Ａ２の床を構成する第２床スラブＢ２と、
・  これらの床スラブＢ１，Ｂ２の間に配置されてなる戸境耐力部材（例えば、耐力壁や大梁）Ｃと、
・  前記第１床スラブＢ１の縁部であって前記戸境耐力部材Ｃが配置された縁部以外の縁部Ｂ１ａに立設されてなる第１壁部Ｄ１と、
・  前記第２床スラブＢ２の縁部Ｂ２ａであって前記戸境耐力部材Ｃが配置された縁部以外の縁部Ｂ２ａに立設されてなる第２壁部Ｄ２と、
・  前記第１床スラブＢ１を支持するように該スラブＢ１に沿って配置された第１梁部Ｅ１と、
・  前記第２床スラブＢ２を支持するように該スラブＢ２に沿って配置された第２梁部Ｅ２と、
を備えている。そして、前記第１梁部Ｅ１は、
・  一端Ｅ１ａが前記戸境耐力部材Ｃに連結され、
・  該戸境耐力部材Ｃから離反する方向＋ｘに延設され、かつ、
・  前記第１壁部Ｄ１には当接しないように
配置されている。また、前記第２梁部Ｅ２は、
・  前記第１梁部Ｅ１の一端Ｅ１ａと前記戸境耐力部材Ｃを挟んで対峙する位置にて一端Ｅ２ａが前記戸境耐力部材Ｃに連結され、
・  該戸境耐力部材Ｃから離反する方向−ｘ（前記第１梁部Ｅ１が延設される方向＋ｘとは逆の方向）に延設され、かつ、
・  前記第２壁部Ｄ２には当接しないように
配置されている。さらに、前記第１梁部Ｅ１の他端（つまり、前記戸境耐力部材Ｃから離間した側の端部）Ｅ１ｂから前記戸境耐力部材Ｃまでの距離ｌ１と、前記第２梁部Ｅ２の他端（つまり、前記戸境耐力部材Ｃから離間した側の端部）Ｅ２ｂから前記戸境耐力部材Ｃまでの距離ｌ２とがほぼ等しくなるように設定されている。なお、前記床スラブＢ１，Ｂ２、前記戸境耐力部材Ｃ、前記壁部Ｄ１，Ｄ２及び前記梁部Ｅ１，Ｅ２は鉄筋コンクリート造である。また、図示の前記第１及び第２梁部Ｅ１，Ｅ２は、前記第１及び第２床スラブＢ１，Ｂ２の上面に配置されているが、もちろんこれに限られるものではなく、下面に配置されていても良い。さらに、前記第１及び第２梁部Ｅ１，Ｅ２は、前記床スラブＢ１，Ｂ２や前記戸境耐力部材Ｃと鉄筋で連結されていると良い。
【００２３】
本発明によれば、前記第１及び第２床スラブＢ１，Ｂ２は前記第１及び第２梁部Ｅ１，Ｅ２によって支持されるので、各スラブを従来より薄くしても各スラブの撓みを所定量以下に抑えることができる。そして、各スラブを従来より薄くできるので、各住戸の天井高を高く確保でき、建物全体の重量を軽減でき、建設コストも削減できるという効果が得られる。また、本発明によれば、重量がかかる部分（例えば、キッチンや浴室など）を前記第１及び第２梁部Ｅ１，Ｅ２の近傍に配置すれば床スラブの撓みへの影響を最小限に抑えることが可能である。そして、前記第１及び第２梁部Ｅ１，Ｅ２は、前記戸境耐力部材Ｃから所定量の長さ（つまり、前記第１及び第２梁部Ｅ１，Ｅ２には当接しないような長さ）だけ設ければ良いので、その分、材料費や建設費を削減することができ、梁部Ｅ１，Ｅ２が配置されていない部分（つまり、前記第１梁部Ｅ１の端部Ｅ１ｂと前記第１壁部Ｄ１との間、及び前記第２梁部Ｅ２の端部Ｅ２ｂと前記第２壁部Ｄ２との間）が存在するので、廊下側やバルコニー側への配管も容易になるという効果を奏する。さらに、本発明によれば、前記第１梁部Ｅ１の他端（つまり、前記戸境耐力部材Ｃから離間した側の端部）Ｅ１ｂから前記戸境耐力部材Ｃまでの距離ｌ１と、前記第２梁部Ｅ２の他端（つまり、前記戸境耐力部材Ｃから離間した側の端部）Ｅ２ｂから前記戸境耐力部材Ｃまでの距離ｌ２とがほぼ等しくなるように設定されているので、
・  前記第１梁部Ｅ１により前記戸境耐力部材Ｃに生じるモーメント（図１(b) の符号＋Ｍ参照）と、
・  前記第２梁部Ｅ２により前記戸境耐力部材Ｃに生じるモーメント（図１(b) の符号−Ｍ参照）と、
がほぼ等しくなって釣り合い、該戸境耐力部材Ｃにねじれが生ずることも無い。
【００２４】
この場合、図２に示すように、前記第１住戸の浴室Ｆ１と前記第２住戸の浴室Ｆ２とを、前記戸境耐力部材Ｃを挟んで隣接するように配置し、これらの浴室Ｆ１，Ｆ２に沿うように前記第１梁部Ｅ１及び前記第２梁部Ｅ２をそれぞれ配置すると良い。また、前記第１住戸のキッチンＫ１と前記第２住戸のキッチンＫ２とを、前記戸境耐力部材Ｃを挟んで隣接するように配置し、これらのキッチンＫ１，Ｋ２に沿うように前記第１梁部Ｅ１及び前記第２梁部Ｅ２をそれぞれ配置すると良い。そのようにした場合には、浴室やキッチンの重量を前記第１及び第２梁部Ｅ１，Ｅ２にて支えることができるので、前記第１及び第２床スラブＢ１，Ｂ２への重量負担を軽減でき、各床スラブＢ１，Ｂ２をより一層薄くすることができる。
【００２５】
なお、前記第１及び第２梁部Ｅ１，Ｅ２は、図１(a) (b) 及び図２に示すように前記戸境耐力部材Ｃと直交する方向±ｘに延設することが好ましいが、該方向±ｘ以外に延設したものを本発明の範囲から除外するものでは無い。また、図１及び図２には板状の集合住宅を示しているが、もちろんこれに限られるものではなく、図３に示すような集合住宅に本発明を適用するようにしても良い。
【００２６】
一方、本発明に係る集合住宅は、図４に符号１０で例示するものであって、互いに隣接するように配置される第１及び第２住戸Ａ１，Ａ２を有し、
・  前記第１住戸Ａ１の床を構成する第１床スラブＢ１と、
・  前記第２住戸Ａ２の床を構成する第２床スラブＢ２と、
・  これらの床スラブＢ１，Ｂ２の間に配置されてなる戸境耐力部材（例えば、耐力壁や大梁）Ｃと、
・  前記第１住戸Ａ１において前記戸境耐力部材Ｃに対向するように配置されて前記第１床スラブＢ１の縁部Ｂ１ａに連結される第１耐力部材（例えば、耐力壁や大梁）Ｄ１と、
を備えている。そして、前記第１床スラブＢ１の縁部Ｂ１ａ，Ｂ１ｂであって、前記戸境耐力部材Ｃ及び前記第１耐力部材Ｄ１の少なくともいずれか１つに接する領域には、
・  “該縁部以外の部分であって該縁部よりも広い領域（つまり、縁部以外の領域であって、スラブの中央部を含む領域）”における前記第１床スラブの厚さよりも厚い厚板部Ｇ１が形成されていて、該厚板部Ｇ１が前記戸境耐力部材Ｃ及び前記第１耐力部材Ｄ１の少なくともいずれか１つに連結される厚板部領域Ｈ１ａと、
・  該厚板部Ｇ１よりも板厚が薄い薄板部が形成されていて、該薄板部が前記戸境耐力部材Ｃ及び前記第１耐力部材Ｄ１の少なくともいずれか１つに連結される薄板部領域Ｈ１ｂと、
が形成されている。本発明によれば、該厚板部Ｇ１を形成した部分の幅Ｗ１（床スラブＢ１の幅）は、該厚板部Ｇ１を形成していない部分の幅Ｗ２（床スラブＢ１の幅）よりも小さくなるが、その結果、厚板部Ｇ１の側方部分（つまり、図４(a) に符号Ｊ１ａで示す部分）の撓みは（厚板部Ｇ１を形成しない場合に比べて）減り、床スラブを従来より薄くしても床スラブ全体の撓みを所定量以下に抑えることができる。そして、床スラブを従来より薄くできるので、各住戸の天井高を高く確保でき、建物全体の重量を軽減でき、建設コストも削減できるという効果が得られる。また、前記第１床スラブＢ１の縁部Ｂ１ａ又はＢ１ｂには、厚板部領域Ｈ１ａだけでなく薄板部領域Ｈ１ｂが形成されているので、該薄板部領域Ｈ１ｂを使って配管（上水管や下水管やガス管）を下階に挿通させることができる。
【００２７】
この場合、前記薄板部領域Ｈ１ｂは、キッチン（図２の符号Ｋ１，Ｋ２参照）や浴室（同図の符号Ｆ１，Ｆ２参照）の近傍に設けていて（不図示）、該キッチンＫ１，Ｋ２や該浴室Ｆ１，Ｆ２のための管路を下階に挿通させるための領域にすると良い。なお、前記床スラブＢ１，Ｂ２、前記厚板部Ｇ１，前記第１耐力部材Ｄ１及び前記戸境耐力部材Ｃ等は鉄筋コンクリート造である。また、前記厚板部Ｇ１は、図４(b) に示すように床スラブ上方に突出するように形成しても、或いは床スラブ下方に突出するように形成しても良い。
【００２８】
一方、本発明に係る集合住宅は、図５に符号２０で例示するものであって、上述した第１及び第２梁部Ｅ１，Ｅ２と、上述した厚板部領域Ｈ１ａ及び薄板部領域Ｈ１ｂと、を備えたことを特徴とする。この場合、前記薄板部領域Ｈ１ｂは、キッチン（図２の符号Ｋ１，Ｋ２参照）や浴室（同図の符号Ｆ１，Ｆ２参照）の近傍に設けていて、該キッチンＫ１，Ｋ２や該浴室Ｆ１，Ｆ２のための管路を下階に挿通させるための領域とし、前記厚板部領域Ｈ１ａは、キッチンＫ１，Ｋ２や浴室Ｆ１，Ｆ２の近傍以外の部分に設け、前記第１及び第２梁部Ｅ１，Ｅ２は、キッチンＫ１，Ｋ２や浴室Ｆ１，Ｆ２に沿うように設けるようにすると良い。また、前記第１梁部Ｅ１は、一端を前記厚板部Ｇ１の端部に連結し、該厚板部Ｇ１から離反する方向＋ｘに延設し、かつ、前記第１壁部Ｄ１には当接しないように配置すると良い。そのようにした場合には、前記第１及び第２床スラブＢ１，Ｂ２は前記第１及び第２梁部Ｅ１，Ｅ２によって支持されるので、各スラブを従来より薄くしても各スラブの撓みを所定量以下に抑えることができる。そして、各スラブを従来より薄くできるので、各住戸の天井高を高く確保でき、建物全体の重量を軽減でき、建設コストも削減できるという効果が得られる。また、本発明によれば、重量がかかる部分（キッチンや浴室）が前記第１及び第２梁部Ｅ１，Ｅ２の近傍に配置されているので床スラブの撓みへの影響を最小限に抑えることが可能である。そして、前記第１及び第２梁部Ｅ１，Ｅ２は、前記戸境耐力部材Ｃから所定量の長さ（つまり、前記第１及び第２梁部Ｅ１，Ｅ２には当接しないような長さ）だけ設ければ良いので、その分、材料費や建設費を削減することができ、梁部Ｅ１，Ｅ２が配置されていない部分（つまり、前記第１梁部Ｅ１の端部Ｅ１ｂと前記第１壁部Ｄ１との間、及び前記第２梁部Ｅ２の端部Ｅ２ｂと前記第２壁部Ｄ２との間）が存在するので、廊下側やバルコニー側への配管も容易になるという効果を奏する。さらに、本発明によれば、前記第１梁部Ｅ１の他端（つまり、前記戸境耐力部材Ｃから離間した側の端部）Ｅ１ｂから前記戸境耐力部材Ｃまでの距離ｌ１と、前記第２梁部Ｅ２の他端（つまり、前記戸境耐力部材Ｃから離間した側の端部）Ｅ２ｂから前記戸境耐力部材Ｃまでの距離ｌ２とがほぼ等しくなるように設定されているので、
・  前記第１梁部Ｅ１により前記戸境耐力部材Ｃに生じるモーメント（図１(b) の符号＋Ｍ参照）と、
・  前記第２梁部Ｅ２により前記戸境耐力部材Ｃに生じるモーメント（図１(b) の符号−Ｍ参照）と、
がほぼ等しくなって釣り合い、該戸境耐力部材Ｃにねじれが生ずることも無い。また、厚板部Ｇ１を形成することにより、床スラブを従来より薄くしても床スラブ全体の撓みを所定量以下に抑えることができる。そして、床スラブを従来より薄くできるので、各住戸の天井高を高く確保でき、建物全体の重量を軽減でき、建設コストも削減できるという効果が得られる。また、前記第１床スラブＢ１の縁部Ｂ１ａ又はＢ１ｂには、厚板部領域Ｈ１ａだけでなく薄板部領域Ｈ１ｂが形成されているので、該薄板部領域Ｈ１ｂを使って配管（上水管や下水管やガス管）を下階に挿通させることができる。
【符号の説明】
【００２９】
１              集合住宅
１０            集合住宅
Ａ１            第１住戸
Ａ２            第２住戸
Ｂ１            第１床スラブ
Ｂ１ａ            第１床スラブの縁部
Ｂ２            第２床スラブ
Ｂ２ａ            第２床スラブの縁部
Ｃ            戸境耐力部材
Ｄ１            第１壁部、第１耐力部材
Ｄ２            第２壁部
Ｅ１            第１梁部
Ｅ１ａ            第１梁部の一端
Ｅ１ｂ            第１梁部の他端
Ｅ２            第２梁部
Ｅ２ａ            第２梁部の一端
Ｅ２ｂ            第２梁部の他端
Ｆ１，Ｆ２        浴室
Ｇ１            厚板部
Ｈ１ａ            厚板部領域
Ｈ１ｂ            薄板部領域
Ｋ１，Ｋ２        キッチン
【図１】
0005807892.tif 000002
【図２】
0005807892.tif 000003
【図３】
0005807892.tif 000004
【図４】
0005807892.tif 000005
【図５】
0005807892.tif 000006